(57)【要約】【課題】開封が容易であり、更には、開封に際しての楽しさや開封のわくわく感があり、開封の楽しみが多い包装容器を提供することにある。【解決手段】包装対象物を外部から視認できないように包装可能な包装容器であって、包装容器を開封できるように切り取り可能に形成された開封部を有し、上記開封部は、帯状で且つ使用時に利用者が開封を開始するための開封始点部が形成された第１開封部と、該第１開封部に連設された、帯状で且つ使用時に利用者が開封を開始するための開封始点部が形成された第２開封部とからなり、上記第１開封部の開封始点部及び上記第２開封部の開封始点部は隣設されていると共に、両者にはそれぞれ包装容器から独立した飾り部材が延設されていることを特徴とする包装容器。【選択図】図１
2018131235.tif 000002
【特許請求の範囲】
【請求項１】
包装対象物を外部から視認できないように包装可能な包装容器であって、
包装容器を開封できるように切り取り可能に形成された開封部を有し、
上記開封部は、帯状で且つ使用時に利用者が開封を開始するための開封始点部が形成された第１開封部と、該第１開封部に連設された、帯状で且つ使用時に利用者が開封を開始するための開封始点部が形成された第２開封部とからなり、
上記第１開封部の開封始点部及び上記第２開封部の開封始点部は隣設されていると共に、
両者にはそれぞれ包装容器から独立した飾り部材が延設されている
ことを特徴とする包装容器。
【請求項２】
所定箇所を折り曲げて組み立てることにより、請求項１記載の包装容器を形成可能な包装容器組立用シートであって、
包装容器における底面を形成する面と、包装容器における側面及び上面を形成する面とが数珠つなぎに連設されており、
上記開封部を形成する切り取り可能に形成された切り取り可能部分は、上記の数珠つなぎに連設された包装容器における側面及び上面を形成する面に設けられている
ことを特徴とする包装容器組立用シート。
【発明の詳細な説明】
【技術分野】
【０００１】
本発明は、楽しく開封することができる包装容器及びこの包装容器を簡単に作り上げるための包装容器組立用シートに関するものである。
【背景技術】
【０００２】
内容物が見えないように贈答品や各種商品等を包装して、受領者や購入者が開封するように設計された包装容器は種々提案されている。
例えば、簡単な構造で開封線の位置がわかりやすく、開封後の開口縁部がきれいであり安全性も高い包装用箱として、一枚のブランクシートから一体的に打ち抜かれた箱体形成片から成り、箱体形成片には開封用の開封線を備え、開封線は、箱体形成片１２の表面から厚みの途中までの深さで形成されている表半切線と、表半切線に沿って設けられ箱体形成片の厚み全部を切断する切断線とを備え、切断線は所定の装飾パターンに形成され複数個の切り残し部を有して、断続して設けられており、表半切線と切断線を切断して開封することにより、開封した開口縁部の剥離裏面部には、切断線により形成された装飾模様が残されるように形成された包装容器が提案されている。
【先行技術文献】
【特許文献】
【０００３】
【特許文献１】特開2016-11118号公報
【発明の概要】
【発明が解決しようとする課題】
【０００４】
しかし、従来提案されている包装容器は、開封が容易であるという利点はあるものの開封に際しての楽しさや開封のわくわく感に欠け、開封の楽しみが少ないという問題があった。また、そのような包装容器を簡単に作成することも困難であるという問題があった。
従って本発明の目的は、開封が容易であり、更には、開封に際しての楽しさや開封のわくわく感があり、開封の楽しみが多い包装容器、及びそのような包装容器を簡単に作成することができる包装容器組立用シートを提供することにある。
【課題を解決するための手段】
【０００５】
本発明者らは上記課題を解消すべく鋭意検討した結果、以下の包装容器及び包装容器組立用シートを提供することにより上記課題を解消したものである。
１．包装対象物を外部から視認できないように包装可能な包装容器であって、
包装容器を開封できるように切り取り可能に形成された開封部を有し、
上記開封部は、帯状で且つ使用時に利用者が開封を開始するための開封始点部が形成された第１開封部と、該第１開封部に連設された、帯状で且つ使用時に利用者が開封を開始するための開封始点部が形成された第２開封部とからなり、
上記第１開封部の開封始点部及び上記第２開封部の開封始点部は隣設されていると共に、
両者にはそれぞれ包装容器から独立した飾り部材が延設されている
ことを特徴とする包装容器。
２．所定箇所を折り曲げて組み立てることにより、請求項１記載の包装容器を形成可能な包装容器組立用シートであって、
包装容器における底面を形成する面と、包装容器における側面及び上面を形成する面とが数珠つなぎに連設されており、
上記開封部を形成する切り取り可能に形成された切り取り可能部分は、上記の数珠つなぎに連設された包装容器における側面及び上面を形成する面に設けられている
ことを特徴とする包装容器組立用シート。
【発明の効果】
【０００６】
本発明の包装容器は、開封が容易であり、更には、開封に際しての楽しさや開封のわくわく感があり、開封の楽しみが多いものである。
また、本発明の包装容器組立用シートはこの包装容器を簡単に作り上げることができるものである。
【図面の簡単な説明】
【０００７】
【図１】本発明の包装容器の１実施形態を示す斜視図である。
【図２】図１のII-II端面図である。
【図３】図１に示す包装容器を開封する状態を示す斜視図である。
【図４】図1に示す包装容器を組み立てることができる本発明の包装容器組立用シートの１実施形態を示す平面図である。
【符号の説明】
【０００８】
１：包装容器
１０：容器本体、２０：中箱部、３０：開封部、４０：飾り部材、１００：包装容器組立用シート
【発明を実施するための形態】
【０００９】
以下、本発明を、図面を参照して詳細に説明するが、本発明はこれらに制限されるものではない。
【００１０】
本実施形態の包装容器１は、図１及び２に示すように、包装対象物を外部から視認できないように包装可能な包装容器である。そして、包装容器を開封できるように切り取り可能に形成された開封部３０を有し、開封部３０は、帯状で且つ使用時に利用者が開封を開始するための開封始点部３２が形成された第１開封部３４と、第１開封部３４に連設された、帯状で且つ使用時に利用者が開封を開始するための開封始点部３６が形成された第２開封部３８とからなり、第１開封部３４の開封始点部３２及び第２開封部３８の開封始点部３６は隣設されていると共に、両者にはそれぞれ包装容器から独立した飾り部材４０，４０が延設されている。
以下、更に詳述する。
【００１１】
＜全体＞
本実施形態の包装容器１は、箱状であり、長手方向ほぼ中央部分に開封部３０の設けられた長方体状の容器本体１０と、図２に示すように容器本体１０内に封入された上方部分全面が開口とされた中箱部２０とを備える。中箱部２０は容器本体１０よりも小さく形成されているので、底面部分において容器本体の底面外周と中箱部の底面外周との間に隙間が設けられている。なお、図２においては内部の状態を示すため飾り部材４０は省略して示す。本実施形態においては容器本体及び中箱部はそれぞれ紙により形成しているが、これに制限されず、プラスチックなど種々の材料で形成することができる。
開封部３０は、容器本体１０にミシン目を入れることにより帯状に形成されており、上方中央部分において帯状のミシン目が入れられた部分を完全にその幅方向に切断して第１開封部３４の開封始点部３２と第２開封部３８の開封始点部３６とが形成されている。
そして、これらの開封始点部３２，３６に、柔らかい布状で且つ帯状形状の部材が連設されて飾り部材４０，４０を形成している。
【００１２】
＜開封部＞
開封部３０は上述のように容器本体に帯状に２本のミシン目を入れることで形成されており、容器本体１０の上面及び側面には形成されているが、底面には形成されていない。帯状の開封部の幅は特に制限されないが開封のしやすさと開封時の見た目の良さとから１~３ｃｍとするのが好ましい。
また、底面と長側面との接合部分１２は開封部３０の存在する部分を除いてあらかじめ切断されている（図４参照）。このように構成することにより、後述する開封時に容器本体１０が２つに分割され、しかも容器本体の短側面と底面との接合部分をもって支点として機能し、包装容器の底面と設置面との接触状態に悪影響を及ぼすことなく、中箱部の上方を開放するように開封される。
【００１３】
＜飾り部材＞
飾り部材４０は、開封始点部３２，３６の先端に柔らかい部材、例えば、布製で且つ帯状のリボン等が貼付されて形成されている。本実施形態の説明においては飾り部材で何かを形成した状態では示していないが、通常のリボンと同様に種々形態として使用することができる。
【００１４】
＜使用法・効果＞
使用に際しては中箱部２０に所望の物を収納して内容物とし、包装容器を密閉して図１に示す形態とする。ついで飾り部材４０を任意の形状に結ぶなどして所望の形状として放送を完成する。
そして開封時には飾り部材４０をほどいて開封可能な状態としそれぞれ図２に示す矢印方向に引っ張ることで第１及び第２開封部３４，３８を開封して、図３に示すように容器本体１０を２つに分割して上方を開放した状態とし、内容物が確認できる。
本実施形態の包装容器１は、上述のように構成されているので、上部のリボン状の飾り部材４０をほどくことですぐに開封を行うことができるため、開封の楽しみが多く、開封した者に内容物を開封動作の開始から瞬時に見せることができ、開封のわくわく感、驚きを与えることができる。
【００１５】
＜包装容器組立用シート＞
上述のように形成された本実施形態の包装容器１は、中箱部２０に所望の物品を入れて使用することができる。ここで、物品を入れが包装容器は、本発明の包装容器組立用シートを用いて形成することができる。以下、包装容器組立用シートについて説明する。
本実施形態の包装容器組立用シート１００は、所定箇所を折り曲げて組み立てることにより、上記の包装容器１を形成可能な包装容器組立用シートである。そして、包装容器１における底面を形成する面１１２と、包装容器１における側面（長側面）及び上面を形成する面１１４，１１６とが数珠つなぎに連設されており、開封部３０を形成する切り取り可能に形成された切り取り可能部分１３０は、数珠つなぎに連設された包装容器における側面及び上面を形成する面１１４，１１６に設けられている。
本実施形態において包装容器組立用シート１００は、容器本体１０を形成する本体用シート１１０、及び中箱部２０を形成する中箱用シート１２０とからなり、本体用シート１１０及び中箱用シート１２０は包装容器の底面を形成する部分１１２，１２２を一体として両者を連結している。
なお、図４中大きな破線は山折り用の折り線であり、小さな破線は谷折り用の折り線である。
【００１６】
＜本体用シート＞
本体用シート１１０は、図４に示すように、組み立てた際に容器本体の底面を形成する面１１２に、側面（長側面を形成する面１１４、上面を形成する面１１６、側面（長側面を形成する面１１４、及び開封部用ののりしろ１３４が連設されている。また上面を形成する面１１６にはその両端縁に即面（短側面）を形成する面１１８がそれぞれ連接されており、この側面を形成する面１１８にはそれぞれのりしろ１１９、１１９’が連設されている。また、本実施形態においては、側面を形成する面の一端縁に中箱部の底面を形成する面１２２が連設されている。また、上面を形成する面１１６、両側面を形成する面１１４，１１４にはそれぞれミシン目１３７が設けられて帯状の開封部形成用部分１３０が形成されている。そして開封部形成用部分１３０の中央部分において切込みが設けられてそれぞれ開封始点部形成用部分１３２，１３６が形成されている。また、開封部形成用部分１３０の基端の両側はそれぞれ側面を形成する面の側縁に沿って切込み１３８が入れられている。また、図４には特に図示しないが、視認する面の反対面に飾り部材４０が開封始点部形成用部分１３２，１３６に連設されている。
＜中箱用シート＞
中箱用シート１２０は、図４に示すように本体用シート１１０に連設されており、底面を形成する面１２２に両長側縁に側面（長側面）を形成する面１２４が連設されている。また、側面を形成する面１２４は折りこんで側面を形成するように所定の側面高さの幅を有する面を２つ連設した形態となされており、底面を形成する面から遠い面１２４’に側面（短側面）を形成する面１２８、１２８’が両端に２つ連設されている。また、面１２８と面１２８’とは重ねられるが後述するようにまず面１２８を折りこんだ後面１２８’を折り重ねる。
【００１７】
＜使用法・作用効果＞
以下、まず本発明の包装容器組立用シートを用いての包装容器の組立（シートの使用法、）について説明する。
本実施形態の包装容器組立用シート１００は、まず、面１２２の側縁の折り線に沿って山折りを行い、次にその横に設けられた折り線に沿って谷折りに折り曲げて面１１２の側縁から少し内側に側面が位置するように面１２４を立てる。そして面１２４’を谷折りに（外側に位置するように）折りこみ、側面（長側面）を形成する。次に面１２８を折りこんだ後、面１２８’を折り重ねて側面（短側面）を形成し、上方が開口部とされた中箱部２０を形成する。中箱部を形成した状態で、中箱部の内部に所望の物品を投入して、内容物を収納しておく。
次に、面１１８、面１１６、及び１１８を折りこむと共に面１１６、面１１４、面１１２、のりしろ１３４を折りこむ。この際、面１１２は包装容器全体の最外に位置するように面１２２の外側に位置するように折りこむ。そして面１１２にのりしろ１３４を折り重ねる。また、面１１９はそれぞれ側面１１４における内面側（包装容器の内方に位置する側）に位置するように折りこむ。そして面１１４の内面に接着剤などを用いて貼りあわせる。また、面１１９’も面１１２に折り重ねて適宜接着剤などを用いて接着する。
このように組み立てることで所望の内容物が収納された包装容器を得ることができ、上述のように飾り部材を任意の形態に結んで包装を完成させて、飾り部材を引張って容器本体を開封することで使用することができる。
そして、上述のように、中箱部の側面が容器本体の側面に接しないように、本実施形態の包装容器組立用シートが形成されているので、包装容器を開封した際に中箱部との接触による摩擦がなく、スムーズに開封されて中箱部に収納された内容物を確認することができる。
【図１】
2018131235.tif 000003
【図２】
2018131235.tif 000004
【図３】
2018131235.tif 000005
【図４】
2018131235.tif 000006